(57)【要約】【課題】必要なサブラムダ分の帯域を選択することで、使用する電気クロスコネクト装置のスイッチング容量を抑制する送受信機およびその方法を提供する。【解決手段】送受信装置は、クライアント信号を収容するデータコンテナとしてＯＴＮ信号を利用する。送受信装置は、ネットワーク運用管理システムから受信するＯＤＵ情報を取得し、該受信するＯＤＵ情報に基づいて、受信するＯＤＵの選択を指示する制御手段と、受信したＯＴＮ信号のＯＴＵｋ（ｋ＝１，２，３，４）オーバーヘッドを処理し、ＯＤＵｋに変換するＯＴＵｋ処理手段と、ＯＤＵｋを複数のＯＤＵに分割し、前記指示に基づいて、受信するＯＤＵを選択し、選択したＯＤＵを電気クロスコネクト装置に送信するＯＤＵｋ処理手段とを備える。【選択図】図２
2012195736.tif 000002
【特許請求の範囲】
【請求項１】
クライアント信号を収容するデータコンテナとしてＯＴＮ信号が利用されている送受信装置において、
ネットワーク運用管理システムから、受信するＯＤＵ情報を取得し、該受信するＯＤＵ情報に基づいて、受信するＯＤＵの選択を指示する制御手段と、
受信したＯＴＮ信号のＯＴＵｋ（ｋ＝１，２，３，４）オーバーヘッドを処理し、ＯＤＵｋに変換するＯＴＵｋ処理手段と、
前記ＯＤＵｋを複数のＯＤＵに分割し、前記指示に基づいて、受信するＯＤＵを選択し、選択したＯＤＵを電気クロスコネクト装置に送信するＯＤＵｋ処理手段と、
を備えることを特徴とする送受信装置。
【請求項２】
前記ＯＤＵｋ処理手段は、受信するＯＤＵを収容しているＴＳ（Tributary Slot）を選択し、選択したＴＳに収容されるＯＤＵを送信することを特徴とする請求項１に記載の送受信装置。
【請求項３】
前記制御手段は、受信するＯＴＵ信号に収容されているＯＰＵのＴＳ情報をネットワーク運用管理システムから取得し、該ＴＳのビットレート情報が２．５Ｇｂ／ｓである場合、前記ＯＤＵｋ処理手段のＯＤＵ０出力をオフにすることを特徴とする請求項１または２に記載の送受信装置。
【請求項４】
前記ＯＤＵｋ処理手段は、前記選択したＯＤＵの送信に使用しないＯＤＵ出力ポートをオフにすることを特徴とする請求項１から３のいずれか１項に記載の送受信装置。
【請求項５】
クライアント信号を収容するデータコンテナとしてＯＴＮ信号が利用されている送受信方法において、
ネットワーク運用管理システムから、受信するＯＤＵ情報を取得し、該受信するＯＤＵ情報に基づいて、受信するＯＤＵの選択を指示する制御ステップと、
受信したＯＴＮ信号のＯＴＵｋ（ｋ＝１，２，３，４）オーバーヘッドを処理し、ＯＤＵｋに変換するＯＴＵｋ処理ステップと、
前記ＯＤＵｋを複数のＯＤＵに分割し、前記指示に基づいて、受信するＯＤＵを選択し、選択したＯＤＵを電気クロスコネクト装置に送信するＯＤＵｋ処理ステップと、
を有することを特徴とする送受信方法。
【発明の詳細な説明】
【技術分野】
【０００１】
本発明は、通信装置で使用する電気クロスコネクトの無駄な帯域を低減する技術に関するものである。
【背景技術】
【０００２】
通信装置において、クライアント信号（イーサネット信号やＳＯＮＥＴ／ＳＤＨ信号（非特許文献１））を収容するデータコンテナとしてOptical Transport Network（ＯＴＮ）信号が利用されている（非特許文献２）。ＯＴＮ信号を用いたネットワークでは、ＯＴＮ階梯に従って、ＯＴＵ（Optical Channel Transport Unit）に収容されているOptical Channel Data Unit k （ＯＤＵｋ：ｋ＝０，１，２，３，４）単位の電気クロスコネクトが可能である。また、ＯＤＵに収容されているＯＰＵ（Optical Channel Payload Unit）には、低レートのＯＤＵが収容されている場合がある。これら低レートのＯＤＵも電気クロスコネクトが可能である。
【先行技術文献】
【非特許文献】
【０００３】
【非特許文献１】International Telecommunication Union Telecommunication Standardization Sector (ITU-T) G.707 “Network Node Interface for the Synchronous Digital Hierarchy (SDH)”
【非特許文献２】ITU-T Recommendation G.709, "Interfaces for the Optical Transport Network (OTN)," 2009.
【発明の概要】
【発明が解決しようとする課題】
【０００４】
光通信ネットワークにおいて、ある２点間に信号光パスが設定されている状況を考える。ここで、信号光に含まれる一部の帯域（サブラムダ：時分割多重される複数のデジタル信号の各々を示す。具体的な例では、“従来技術”で述べたＯＤＵがあげられる。）を途中のノードにおいて受信する必要が生じた場合、信号光に含まれる一部の帯域しか受信する必要がないにもかかわらず、現状の光通信装置においては波長単位で信号光が分岐され、その信号光を受信しなければならない。
【０００５】
ここで、分岐、および受信された信号光に含まれるサブラムダを受信する際に、信号光を電気信号に変換し、電気クロスコネクト装置を用いてその電気信号から必要なサブラムダを取り出すという方式がとられている。この時、実際に必要な帯域はサブラムダ分だけであるため、それ以外の帯域を電気クロスコネクト装置で処理することは、スイッチング容量を浪費してしまうことになる。
【０００６】
したがって、本発明は、必要なサブラムダ分の帯域を選択することで、使用する電気クロスコネクト装置のスイッチング容量を抑制する送受信機およびその方法を提供することを目的とする。
【課題を解決するための手段】
【０００７】
上記目的を実現するため本発明による送受信装置は、クライアント信号を収容するデータコンテナとしてＯＴＮ信号が利用されている送受信装置において、ネットワーク運用管理システムから、受信するＯＤＵ情報を取得し、該受信するＯＤＵ情報に基づいて、受信するＯＤＵの選択を指示する制御手段と、受信したＯＴＮ信号のＯＴＵｋ（ｋ＝１，２，３，４）オーバーヘッドを処理し、ＯＤＵｋに変換するＯＴＵｋ処理手段と、前記ＯＤＵｋを複数のＯＤＵに分割し、前記指示に基づいて、受信するＯＤＵを選択し、選択したＯＤＵを電気クロスコネクト装置に送信するＯＤＵｋ処理手段とを備える。
【０００８】
また、前記ＯＤＵｋ処理手段は、受信するＯＤＵを収容しているＴＳ（Tributary Slot）を選択し、選択したＴＳに収容されるＯＤＵを送信することも好ましい。
【０００９】
また、前記制御手段は、受信するＯＴＵ信号に収容されているＯＰＵのＴＳ情報をネットワーク運用管理システムから取得し、該ＴＳのビットレート情報が２．５Ｇｂ／ｓである場合、前記ＯＤＵｋ処理手段のＯＤＵ０出力をオフにすることも好ましい。
【００１０】
また、前記ＯＤＵｋ処理手段は、前記選択したＯＤＵの送信に使用しないＯＤＵ出力ポートをオフにすることも好ましい。
【００１１】
上記目的を実現するため本発明による送受信方法は、クライアント信号を収容するデータコンテナとしてＯＴＮ信号が利用されている送受信方法において、ネットワーク運用管理システムから、受信するＯＤＵ情報を取得し、該受信するＯＤＵ情報に基づいて、受信するＯＤＵの選択を指示する制御ステップと、受信したＯＴＮ信号のＯＴＵｋ（ｋ＝１，２，３，４）オーバーヘッドを処理し、ＯＤＵｋに変換するＯＴＵｋ処理ステップと、前記ＯＤＵｋを複数のＯＤＵに分割し、前記指示に基づいて、受信するＯＤＵを選択し、選択したＯＤＵを電気クロスコネクト装置に送信するＯＤＵｋ処理ステップとを有する。
【発明の効果】
【００１２】
以上、本発明により、送受信機において必要なサブラムダ分の帯域を選択することで、サブラムダを取り出す際に使用する電気クロスコネクト装置のスイッチング帯域を抑制する効果が得られる。
【図面の簡単な説明】
【００１３】
【図１Ａ】ＯＴＵ１の場合での本発明の装置構成を示す。
【図１Ｂ】ＯＴＵ２の場合での本発明の装置構成を示す。
【図１Ｃ】ＯＴＵ３の場合での本発明の装置構成を示す。
【図１Ｄ】ＯＴＵ４の場合での本発明の装置構成を示す。
【図２】本発明装置の制御フローを示す。
【発明を実施するための形態】
【００１４】
本発明を実施するための最良の実施形態について、以下では図面を用いて詳細に説明する。図１は、本発明の装置構成を示す。図中の点線の内側が本発明の装置である。図１Ａは送受信信号がＯＴＵ１の場合、図１Ｂは送受信信号がＯＴＵ２の場合、図１Ｃは送受信信号がＯＴＵ３の場合、図１Ｄは送受信信号がＯＴＵ４の場合を示す。本装置は、光信号電気信号変換機能１、ＯＴＵｋ（ｋ＝１，２，３，４）処理機能２、ＯＤＵｋ（ｋ＝１，２，３，４）処理機能３、制御機能４、および通信機能５から構成される。
【００１５】
光信号電気信号変換機能１（１）は、受信した信号光を電気信号に変換する機能を有する。光信号電気信号変換機能１（２）は、電気信号を送信する光信号に変換する機能を有する。ＯＴＵｋ処理機能２（１）は、受信した電気信号のＯＴＵｋオーバーヘッドを処理し、ＯＤＵｋに変換する機能を有する。ＯＴＵｋ処理機能２（２）は、受信したＯＤＵｋをＯＴＵｋに構成する機能を有する。
【００１６】
ＯＤＵｋ処理機能３は、ＯＤＵｋを複数のＯＤＵに分割する機能を有する。ここでは、ＯＤＵｋに収容されているＯＰＵｋ（Optical Payload Unit k：ｋ＝１，２，３，４）のTributary Slot（ＴＳ）を選択することでＯＤＵｋをＯＤＵに分割する。
・ＯＤＵ１の場合：入力されたＯＤＵ１をそのまま出力すること、およびＯＤＵ１に収容されたひとつのＯＤＵ０を出力することが可能である。
・ＯＤＵ２の場合：入力されたＯＤＵ２をそのまま出力すること、およびＯＤＵ２に収容されたＯＤＵ１を最大３本出力すること、およびＯＤＵ２に収容されたＯＤＵ０を最大７本出力することが可能である。
・ＯＤＵ３の場合：入力されたＯＤＵ３をそのまま出力すること、およびＯＤＵ３に収容されたＯＤＵ２を最大３本出力すること、およびＯＤＵ３に収容されたＯＤＵ１を最大１５本出力すること、およびＯＤＵ３に収容されたＯＤＵ０を最大３１本出力することが可能である。
・ＯＤＵ４の場合：入力されたＯＤＵ４をそのまま出力すること、およびＯＤＵ４に収容されたＯＤＵ３を最大２本出力すること、およびＯＤＵ４に収容されたＯＤＵ２を最大９本出力すること、およびＯＤＵ４に収容されたＯＤＵ１を最大３９本出力すること、およびＯＤＵ４に収容されたＯＤＵ０を最大７９本出力することが可能である。
【００１７】
制御機能４は、ＯＤＵｋ処理機能３において、必要なＯＤＵを選択し、使用する出力を制御する機能を有する。通信機能５は、ネットワーク運用管理システムと通信する機能を有する。
【００１８】
図２は、本発明装置の制御フローを示す。以下に、制御手順を示す。
（Ｓ１）開始：
（Ｓ２）ＴＳ（Tributary Slot）情報取得：受信するＯＴＵ信号に収容されているＯＰＵのＴＳ情報を、ネットワーク運用管理システムから取得する。受信する信号のＴＳのビットレート情報として、１．２５Ｇｂ／ｓ、もしくは２．５Ｇｂ／ｓのどちらが使用されているかを取得する。ＴＳ＝１．２５Ｇｂ／ｓの場合、Ｓ４へ進む。ＴＳ＝２．５Ｇｂ／ｓの場合、Ｓ３へ進む。
（Ｓ３）ＯＤＵｋ処理機能のＯＤＵ０出力をオフする：ＴＳ＝２．５Ｇｂ／ｓの場合、ＯＤＵ０は使用不可能なため、ＯＤＵｋ処理機能のＯＤＵ０出力をオフする。
（Ｓ４）受信ＯＤＵ情報取得：受信するサブラムダであるＯＤＵの情報を、ネットワーク運用管理システムから取得する。各ＯＴＵｋ（ｋ＝１，２，３，４）に収容されるＯＰＵｋ（ｋ＝１，２，３，４）は、表１のようなＴＳ数を有する。ＴＳのうち、受信するＯＤＵを収容しているＴＳ番号を取得する。
【表１】
2012195736.tif 000003
（Ｓ５）ＴＳ選択：上述のステップで取得したＯＤＵ情報を基にして、ＯＤＵｋ処理装置において、ＯＰＵからＴＳを選択する。
（Ｓ６）選択ＯＤＵ出力：ここでは、Ｓ５で特定されたＴＳに収容されるＯＤＵを所定のポートに出力する。使用しないＯＤＵ出力ポートをオフする。
（Ｓ７）終了：
【００１９】
実施例１として、通信装置においてＯＴＵ３信号を受信し、必要なサブラムダが、ＯＤＵ２である場合について以下に説明する。ここでは、図１Ｃの装置を用いる。ここで、ＯＴＵ３信号には、４つのＯＤＵ２が収容されているとし、それぞれのＯＤＵ２を、ＯＤＵ２（１），ＯＤＵ２（２），ＯＤＵ２（３），ＯＤＵ２（４）とする。ここでは、それらのうち、ＯＤＵ２（１）を受信する必要があるサブラムダとする。また、ＯＴＵ３に収容されているＯＰＵ３のＴＳは１．２５Ｇｂ／ｓとし、ＴＳ（１），ＴＳ（２）…ＴＳ（３２）とする。各ＯＤＵ２は、表２のようなＴＳに収容されているものとする。
【表２】
2012195736.tif 000004
【００２０】
以下に動作を説明する。
（Ｓ１）開始：
（Ｓ２）ＴＳ情報取得：受信する信号のＴＳ情報を、ネットワーク運用管理システムから取得する。ここでは、受信する信号のＴＳは１．２５Ｇｂ／ｓである。
（Ｓ４）受信ＯＤＵ情報取得：受信するサブラムダであるＯＤＵ情報を、ネットワーク運用管理システムから取得する。ここでは、受信するＯＤＵは、ＯＤＵ２（１）であり、収容しているＴＳは、ＴＳ（１），ＴＳ（５），ＴＳ（９），ＴＳ（１３），ＴＳ（１７），ＴＳ（２１），ＴＳ（２５），ＴＳ（２９）である。
（Ｓ５）ＴＳ選択：ＯＤＵ３処理装置において、受信するＯＤＵ２（１）を収容しているＴＳを、上述の情報に従って選択する。
（Ｓ６）選択ＯＤＵ出力：ここで、上述のステップで選択したＴＳ（１），ＴＳ（５），ＴＳ（９），ＴＳ（１３），ＴＳ（１７），ＴＳ（２１），ＴＳ（２５），ＴＳ（２９）に収容されるＯＤＵ２（１）をポートＯＤＵ２−（１）に出力する。使用しないＯＤＵ出力ポートをオフする。
（Ｓ７）終了：
【００２１】
実施例２として、通信装置においてＯＴＵ２信号を受信し、必要なサブラムダが、ＯＤＵ１である場合について以下に説明する。ここでは、図１Ｂの装置を用いる。ここで、ＯＴＵ２信号には、４つのＯＤＵ１が収容されているとし、それぞれのＯＤＵ１を、ＯＤＵ１（１），ＯＤＵ１（２），ＯＤＵ１（３），ＯＤＵ１（４）とする。ここでは、それらのうち、ＯＤＵ１（１）を必要なサブラムダとする。また、ＯＴＵ２におけるＯＰＵ２のＴＳは２．５Ｇｂ／ｓとし、ＴＳ（１），ＴＳ（２），ＴＳ（３），ＴＳ（４）を有するものとする。各ＯＤＵ１は、表３のようなＴＳに収容されているものとする。
【表３】
2012195736.tif 000005
【００２２】
以下に動作を説明する。
（Ｓ１）開始：
（Ｓ２）ＴＳ情報取得：受信する信号のＴＳ情報を、ネットワーク運用管理システムから取得する。ここでは、受信する信号のＴＳは２．５Ｇｂ／ｓである。
（Ｓ３）ＯＤＵ２処理機能のＯＤＵ０出力は使用しないためオフする。
（Ｓ４）受信ＯＤＵ情報取得：受信するサブラムダであるＯＤＵ情報を、ネットワーク運用管理システムから取得する。ここでは、受信するＯＤＵは、ＯＤＵ１（１）である。
（Ｓ５）ＴＳ選択：受信するサブラムダがＯＤＵ１（１）であることから、信号から選択するＴＳは、ＴＳ（１）となる。
（Ｓ６）選択ＯＤＵ出力：ここで、ＴＳ（１）に収容されるＯＤＵ１（１）をポートＯＤＵ１−（１）に出力する。使用しないＯＤＵ出力ポートをオフする。
（Ｓ７）終了：
【００２３】
実施例３として、通信装置においてＯＴＵ４信号を受信し、必要なサブラムダはＯＤＵ３である場合について以下に説明する。ここでは、図１Ｄの装置を用いる。ここで、ＯＴＵ４信号には、２つのＯＤＵ３と２つのＯＤＵ２が収容されているとし、それぞれを、ＯＤＵ３（１），ＯＤＵ３（２），ＯＤＵ２（１），ＯＤＵ２（２）とする。ここでは、ＯＤＵ３（１）を必要なサブラムダとする。また、ＯＴＵ４におけるＯＰＵ４のＴＳは１．２５Ｇｂ／ｓとし、ＴＳ（１），ＴＳ（２）…ＴＳ（８０）を有するものとする。各ＯＤＵは、表４のようなＴＳに収容されているものとする。
【表４】
2012195736.tif 000006
【００２４】
以下に動作を説明する。
（Ｓ１）開始：
（Ｓ２）ＴＳ情報取得：受信する信号のＴＳ情報を、ネットワーク運用管理システムから取得する。ここでは、受信する信号のＴＳは１．２５Ｇｂ／ｓである。
（Ｓ４）受信ＯＤＵ情報取得：受信するサブラムダであるＯＤＵ情報を、ネットワーク運用管理システムから取得する。ここでは、受信するＯＤＵは、ＯＤＵ３（１）である。
（Ｓ５）ＴＳ選択：受信するサブラムダがＯＤＵ３（１）であることから、信号から選択するＴＳは、ＴＳ（１），ＴＳ（２），ＴＳ（３），…ＴＳ（３２）となる。
（Ｓ６）選択ＯＤＵ出力：ここで、ＴＳ（１），ＴＳ（２），ＴＳ（３），…ＴＳ（３２）に収容されるＯＤＵ３（１）をポートＯＤＵ３−（１）に出力する。使用しないＯＤＵ出力ポートをオフする。
（Ｓ７）終了：
【００２５】
実施例４として、通信装置においてＯＴＵ１信号を受信し、必要なサブラムダがＯＤＵ０である場合について以下に説明する。ここでは、図１Ａの装置を用いる。ここで、ＯＴＵ１信号には、２つのＯＤＵ０が収容されているとし、それぞれのＯＤＵ０を、ＯＤＵ０（１），ＯＤＵ０（２）とする。ここでは、それらのうち、ＯＤＵ０（１）を必要なサブラムダとする。また、ＯＴＵ１におけるＯＰＵ１のＴＳは１．２５Ｇｂ／ｓとし、ＴＳ（１），ＴＳ（２）とする。各ＯＤＵ０は、表５のようなＴＳに収容されているものとする。
【表５】
2012195736.tif 000007
【００２６】
以下に動作を説明する。
（Ｓ１）開始：
（Ｓ２）ＴＳ情報取得：受信する信号のＴＳ情報を、ネットワーク運用管理システムから取得する。ここでは、受信する信号のＴＳは１．２５Ｇｂ／ｓである。
（Ｓ４）受信ＯＤＵ情報取得：受信するサブラムダであるＯＤＵ情報を、ネットワーク運用管理システムから取得する。ここでは、受信するＯＤＵは、ＯＤＵ０（１）である。
（Ｓ５）ＴＳ選択：受信するサブラムダがＯＤＵ０（１）であることから、信号から選択するＴＳは、ＴＳ（１）となる。
（Ｓ６）選択ＯＤＵ出力：ここで、ＴＳ（１）に収容されるＯＤＵ０（１）をポートＯＤＵ０−（１）に出力する。使用しないＯＤＵ出力ポートをオフする。
（Ｓ７）終了：
【００２７】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００２８】
１  光信号電気信号変換機能
２  ＯＴＵｋ処理機能
３  ＯＤＵｋ処理機能
４  制御機能
５  通信機能
【図１Ａ】
2012195736.tif 000008
【図１Ｂ】
2012195736.tif 000009
【図１Ｃ】
2012195736.tif 000010
【図１Ｄ】
2012195736.tif 000011
【図２】
2012195736.tif 000012